(57)【要約】【課題】太陽光等の外光が当たる環境においても、コントラストに優れ視認性の良い画像を観察者に見せることができるディスプレイ装置を提供する。【解決手段】外光１１の当たるウインドウ１２に装着されたスクリーン１と、そのスクリーン１に向けて斜めから映像光３を投射するプロジェクター２とを有するディスプレイ装置であって、そのスクリーン１が、プロジェクター２から投射された映像光３を観察者側に偏向させるフレネルレンズ要素と、その映像光３を水平方向に拡散させるレンチキュラーレンズ要素と、外光１１の反射を抑制する光吸収部とを有することにより、上記課題を解決した。そのスクリーンは、観察者側からの反射率が２〜１０％  ピークゲインが２〜６であることが好ましい。【選択図】      図１
2004184483.tif 000002
【特許請求の範囲】
【請求項１】
外光の当たるウインドウに装着されたスクリーンと、当該スクリーンに向けて斜めから映像光を投射するプロジェクターとを有するディスプレイ装置であって、
前記スクリーンは、プロジェクターから投射された映像光を観察者側に偏向させるフレネルレンズ要素と、当該映像光を水平方向に拡散させるレンチキュラーレンズ要素と、外光の反射を抑制する光吸収部とを有することを特徴とするディスプレイ装置。
【請求項２】
前記スクリーンが、フレネルレンズ要素を備えたフレネルレンズシートと、レンチキュラーレンズ要素を備えたレンチキュラーレンズシートとを有し、前記光吸収部が、当該レンチキュラーレンズ要素のレンズ形状に沿うように形成された着色層であることを特徴とする請求項１に記載のディスプレイ装置。
【請求項３】
前記スクリーンは、観察者側からの反射率が２〜１０％であり、ピークゲインが２〜６であることを特徴とする請求項１または請求項２に記載のディスプレイ装置。
【請求項４】
１００〜１０００ルクスの外光が当たる環境下において、前記スクリーンは、観察者側からの反射率が７〜１０％であり、ピークゲインが２〜６であることを特徴とする請求項１または請求項２に記載のディスプレイ装置。
【請求項５】
１０００〜３０００ルクスの外光が当たる環境下において、前記スクリーンは、観察者側からの反射率が２〜７％であり、ピークゲインが２〜６であることを特徴とする請求項１または請求項２に記載のディスプレイ装置。
【請求項６】
前記スクリーンは、厚さが０．５〜３ｍｍであることを特徴とする請求項１乃至請求項５の何れか１項に記載のディスプレイ装置。
【発明の詳細な説明】
【０００１】
【発明の属する技術分野】
本発明は、外光の当たるウインドウの室内面に装着されたスクリーンに、コントラストの優れた映像を投影することができるディスプレイ装置に関するものである。
【０００２】
【従来の技術】
店舗やショールーム（以下、店舗等と略すことがある。）における一般的なウインドウは、透明ガラスや透明プラスチック板等で構成されており、店舗内の様子や商品等が店舗外の歩行者等から見えるようになっている例が多い。こうした店舗等においては、より宣伝効果等を向上させるために、ウインドウの室内面に透明なスクリーンを貼着し、そのスクリーンに映像を投射するウインドウディスプレイシステムが検討されている（例えば、特許文献１を参照。）。
【０００３】
【特許文献１】
特開２００２−１６２６８６号公報（図１）
【０００４】
【発明が解決しようとする課題】
しかしながら、上述したウインドウディスプレイシステムは、外光の明るさによっては画像のコントラストが低下し、投射画像が著しく見難くなるという問題がある。
【０００５】
本発明は、上記問題を解決するためになされたものであって、その目的は、太陽光等の外光が当たる環境においても、コントラストに優れ視認性の良い画像を観察者に見せることができるディスプレイ装置を提供することにある。
【０００６】
【課題を解決するための手段】
上記課題を解決するための請求項１の発明は、外光の当たるウインドウに装着されたスクリーンと、当該スクリーンに向けて斜めから映像光を投射するプロジェクターとを有するディスプレイ装置であって、前記スクリーンは、プロジェクターから投射された映像光を観察者側に偏向させるフレネルレンズ要素と、当該映像光を水平方向に拡散させるレンチキュラーレンズ要素と、外光の反射を抑制する光吸収部とを有することに特徴を有する。
【０００７】
この発明によれば、スクリーンの一部に外光の反射を抑制する光吸収部を有するので、外光の反射を抑制することでき、画像のコントラストを向上させることができる。その結果、太陽光等の外光が当たる環境でも視認性の良い画像を提供することができる。さらに、スクリーンは、観察者方向に映像光を偏向させるフレネルレンズ要素と水平方向に映像光を拡散させるレンチキュラーレンズ要素とを有するので、店舗やショールームの外にいる観察者は、スクリーンに投影されたコントラストのよい画像を容易に観察することができる。
【０００８】
請求項２の発明は、請求項１に記載のディスプレイ装置において、前記スクリーンが、フレネルレンズ要素を備えたフレネルレンズシートと、レンチキュラーレンズ要素を備えたレンチキュラーレンズシートとを有し、前記光吸収部が、当該レンチキュラーレンズ要素のレンズ形状に沿うように形成された着色層であることに特徴を有する。
【０００９】
この発明によれば、観察者側からスクリーンに入射した外光は、着色層の中を全反射を繰り返しながら進む途中で減衰する。その結果、外光のほとんどが反射せずに吸収されるので、コントラストが向上し、スクリーン上に映し出された画像の視認性が向上する。
【００１０】
請求項３の発明は、請求項１または請求項２に記載のディスプレイ装置において、前記スクリーンは、観察者側からの反射率が２〜１０％であり、ピークゲインが２〜６であることに特徴を有する。
【００１１】
この発明によれば、反射率とピークゲインを上記範囲内にしたので、反射光の影響が少なく、スクリーン上に映し出された画像の視認性が向上する。
【００１２】
請求項４の発明は、請求項１または請求項２に記載のディスプレイ装置において、１００〜１０００ルクスの外光が当たる環境下において、前記スクリーンは、観察者側からの反射率が７〜１０％であり、ピークゲインが２〜６であることに特徴を有する。請求項５の発明は、請求項１または請求項２に記載のディスプレイ装置において、１０００〜３０００ルクスの外光が当たる環境下において、前記スクリーンは、観察者側からの反射率が２〜７％であり、ピークゲインが２〜６であることに特徴を有する。
【００１３】
これらの発明によれば、スクリーンの反射率とピークゲインを、それぞれの外光環境に応じて規定したので、その外光環境下において、コントラストに優れ視認性に優れた画像を投影することができる。
【００１４】
請求項６の発明は、請求項１乃至請求項５の何れか１項に記載のディスプレイ装置において、前記スクリーンは、厚さが０．５〜３ｍｍであることに特徴を有する。
【００１５】
この発明によれば、スクリーンが薄く、ウインドウの室内面への貼着等が容易となる。
【００１６】
【発明の実施の形態】
本発明のディスプレイ装置について図面を参照しつつ説明する。図１は、本発明のディスプレイ装置の一例を示す概略構成図である。図２と図３は、本発明のディスプレイ装置を構成するスクリーンの一例を示す構成図である。図４は、図３のスクリーンにおける光吸収メカニズムの原理図である。
【００１７】
本発明のディスプレイ装置は、図１に示すように、店舗やショールームに装着されるディスプレイ装置であって、外光１１の当たるウインドウ１２の室内面１３または室外面に装着されるスクリーン１と、そのスクリーン１に向けて斜めから映像光３を投射するプロジェクター２とを有するものである。このディスプレイ装置において、スクリーンは、図２および図３に示すように、プロジェクター２から投射された映像光３を観察者１４の側に偏向させるフレネルレンズ要素４と、その映像光３を水平方向に拡散させるレンチキュラーレンズ要素６と、外光の反射を抑制する光吸収部８とを有している。
【００１８】
（スクリーン）
スクリーンは、フレネルレンズ要素４とレンチキュラーレンズ要素６とを有するものであれば、フレネルレンズ要素４とレンチキュラーレンズ要素６との一体型のスクリーンでも、それらが別々に形成されたシートを重ね合わせた複合型のスクリーンでもよく、特に限定されない。
【００１９】
図２は、フレネルレンズ要素４とレンチキュラーレンズ要素６との一体型のスクリーンの一例を示す概略図である。この一体型スクリーン２１においては、フレネルレンズ要素４がプロジェクター側に形成され、レンチキュラーレンズ要素６がウインドウ側に形成されている。
【００２０】
図３は、フレネルレンズ要素４とレンチキュラーレンズ要素６とが、フレネルレンズシート５とレンチキュラーレンズシート７にそれぞれ設けられ、それらのシートが重ね合わされた複合型のスクリーンの一例を示す概略図である。この複合型スクリーン３１においては、フレネルレンズ要素４がフレネルレンズシート５のプロジェクター側に形成され、レンチキュラーレンズ要素６がレンチキュラーレンズシート７のプロジェクター側に形成されているが、各レンズ要素が形成される側は特に限定されない。例えば、図３において、フレネルレンズ要素４がフレネルレンズシート５の観察者側（すなわちレンチキュラーレンズシート７の側）に形成されていてもよい。また、レンチキュラーレンズ要素６が観察者側に形成されていてもよい。このように、フレネルレンズ要素４とレンチキュラーレンズ要素６を何れの表面に形成するかは、任意に選択される。
【００２１】
次に、フレネルレンズ要素４とレンチキュラーレンズ要素６の各機能について図３を参照しつつ説明する。
【００２２】
フレネルレンズ要素４は、例えば室内の斜め上方に設置されたプロジェクター２から拡大投影された映像光３を観察者の方向に向けるためのレンズ要素であり、一般には画面に対して垂直となるように曲げる凸レンズの働きをする。フレネルレンズ要素４が設けられたスクリーン２１またはフレネルレンズシート５は、通常、観察者側に同心円状のプリズム形状が設けられているが、本発明のディスプレイ装置においては、プロジェクター２がスクリーン１に対して斜めの方向（図１においては上方）に設置されるので、スクリーン２１またはフレネルレンズシート５のプリズム群のフレネル中心（同心円の中心）は、スクリーンまたはシート内には存在せず、スクリーンまたはシート外の上方にフレネル中心が存在している。このフレネル中心は、プロジェクターの位置との関係で決定され、プロジェクターの位置が上方の場合は上方に、下方の場合は下方に、両サイドの場合はそれぞれのサイドに存在する。
【００２３】
このとき、フレネルレンズ要素４の偏向角度を、スクリーンが装着されている高さと観察者の視線の高さとを考慮して設計することが好ましい。例えば、図１に示すように、プロジェクター２が天井に設置され、スクリーン１と観察者１４の視線の高さがほぼ同じ場合には、プロジェクター２から投影される映像光３を、スクリーン１の法線と平行になるように偏向させるようにフレネルレンズ要素４を設計することが好ましく、プロジェクター２が天井に設置され、スクリーン１が観察者１４の見上げる位置に装着されている場合には、プロジェクター２から投影される映像光３を、スクリーン１の法線よりもやや下方に偏向させるようにフレネルレンズ要素４を設計することが好ましい。
【００２４】
偏向角度とその角度を実現するフレネルレンズ要素４の設計手法については、フレネル中心の位置を設定することにより行われる。例えば、観察者１４の目線がスクリーン１の正面にある場合には、フレネル中心を、ウインドウ１２の延長面上で且つプロジェクター２の位置と同じ位置にすることが好ましい。一方、観察者１４がスクリーン１をやや見上げるような場合には、フレネル中心を、ウインドウ１２の延長面上で且つプロジェクター２の位置より下がった位置にすることが好ましい。なお、スクリーン２１またはフレネルレンズシート５のプリズム形状は、フレネル中心に近づくほど高さが低く、投射された映像光３をより小さく屈折させることができ、フレネル中心から離れるにしたがって高く急角度になり、投射された映像光３をより大きく屈折させることができる。
【００２５】
レンチキュラーレンズ要素６は、フレネルレンズ要素４よりも観察者側に設けられ、フレネルレンズ要素４によって観察者側に偏向された映像光３の視野角を拡大させる働きをする。レンチキュラーレンズ要素６が設けられたスクリーン２１またはレンチキュラーレンズシート７は、通常、台形状またはかまぼこ型のレンチキュラーレンズ要素６が縦縞状に並べられている。
【００２６】
例えば、図３において、レンチキュラーレンズシート７の内部に、垂直方向に光を広げる拡散剤が含有されていることが好ましい。こうしたレンチキュラーレンズシートは、映像光３を垂直方向にも若干拡大することができる。
【００２７】
本発明においては、スクリーンに光吸収部８が形成されていることが好ましい。光吸収部８としては、図２においては、隣接するレンチキュラーレンズ要素６の谷間にストライプ状に形成された着色層や、図３においては、レンチキュラーレンズ要素６のレンズ形状表面に沿って形成された着色層を例示することができる。こうした光吸収部８は、図２に示す場合においては、光を吸収するような染料や顔料を含むインクまたはＵＶ硬化樹脂などをワイピング法などによりレンチキュラーレンズ要素６の谷部に充填し、加熱乾燥やＵＶ照射により硬化させることにより形成できる。また、図３に示す場合においては、光を吸収するような染料や顔料を含む樹脂と含まない樹脂を共押し出しすることなどにより形成することができる。
【００２８】
なお、図２に示す光吸収部８においては、レンチキュラーレンズ要素６のピッチの４０〜７０％の幅であることが好ましく、その厚さは０．０５〜０．２ｍｍであることが好ましい。一方、図３に示す光吸収部８においては、レンチキュラーレンズ要素上に厚さ０．０１〜０．０４ｍｍで形成されていることが好ましい。
【００２９】
図４は、図３のスクリーンにおける光吸収メカニズムの原理図である。スクリーンに入射した外光１１は、レンチキュラーレンズシート７のプロジェクター側の表面に形成された光吸収部内を全反射しながら進むため、そのほとんどが吸収される。一方、映像光３は、フレネルレンズ要素で偏向されてレンチキュラーレンズ要素６に垂直に入射するので、光吸収部８を通過する長さが短く、吸収が最小限に抑えられる。そのため、観察者側に透過する映像光３の方が、観察者側に反射する外光１１よりも顕著となるので、コントラストが向上する。
【００３０】
スクリーンのコントラストは、透過する映像光３と反射する外光１１との比率により大きく影響される。そして、それらは、スクリーンのピークゲインと反射率で評価することができる。なお、ゲインとは、スクリーンの後方（プロジェクター側）から光線を入射し、前方に出てくる光の輝度の角度分布を測定し、スクリーンにおける照度と各々の輝度とから、ゲインＧ＝π×輝度（ｃｄ／ｍ２）／照度（ルクス）の関係式により求めたものである。なお、ピークゲインとは、スクリーンの中で最大のゲイン値のことであり、本願においては、スクリーンの中心をスクリーンの正面から観察したときのゲインの最大値を示す。また、反射率とは、入射角４５度で光を照射し場合において、反射光（全方向にわたっての）の入射光に対する割合、すなわち、「反射光の光量／入射光の光量」から求めたものである。
【００３１】
１００〜３０００ルクスの外光下において、優れたコントラスト性能を示すスクリーンのピークゲインは、２〜６の範囲内であり、反射率は２〜１０％の範囲内である。ピークゲインが２未満の場合には、画面が暗くなりすぎて実用に適さないことがあり、ピークゲインが６を超えると、視野角が狭くなりすぎて実用に適さないことがある。また、反射率を２％未満とするのは、実現することがかなり困難であり、反射率が１０％を超えると、画像のコントラストが低下して画像を視認することが不可能になることがある。
【００３２】
こうしたコントラスト性能を有するスクリーンとしては、水平半値角が２５〜３０度程度になるようなレンチキュラーレンズ要素６を入光面に有し、レンチキュラーレンズ要素６に沿った部分に光吸収部８である着色層が形成され、その着色層の厚みがレンチキュラーレンズ要素６のピッチの４分の１程度で、その着色層の吸収率が３０％程度となる構成のものを挙げることができる（例えば、図３を参照）。なお、水平半値角とは、水平方向のピークゲインの半値角のことであり、αＨで表される。
【００３３】
上記において外光を１００〜３０００ルクスの範囲内としたが、この範囲内の外光環境下において本発明のディスプレイ装置は好ましいコントラスト性能を示すことができる。
【００３４】
本発明においては、１０００〜３０００ルクスの外光が当たる環境下、例えば、日光が直接当たったり日陰になることもある歩道沿いのウインドウの環境下においては、スクリーンの反射率が２〜７％であり、ピークゲインが２〜６であることが好ましい。こうしたコントラスト性能を有するスクリーンとしては、水平半値角が２５度〜３０度程度になるようなレンチキュラーレンズ要素６を入光面に有し、レンチキュラーレンズ要素に沿った部分に光吸収部８である着色層が形成され、その着色層の厚みがレンチキュラーレンズ要素のピッチの４分の１程度であり、光吸収層の吸収率が４５％程度となる構成のものを挙げることができる（例えば、図３を参照）。なお、請求項５に対応するこの説明において、１０００〜３０００ルクスにおける１０００ルクスとは、「１０００ルクスを超え」の意味であり、反射率が２〜７％における７％とは、「７％未満」の意味である。
【００３５】
また、１００〜１０００ルクスの外光が当たる環境下、例えば、地下街やデパート内の店舗等のウインドウ１２に当たる概ね一定の明るさの照明光が存在する環境下において、スクリーンの反射率が７〜１０％であり、ピークゲインが２〜６であることが好ましい。こうしたコントラスト性能を有するスクリーンとしては、水平半値角が２５度〜３０度程度になるレンチキュラーレンズ要素６を出光面に有し、レンチキュラーレンズ要素６の谷部に対応する位置に光吸収部８を有し、その幅がレンチキュラーレンズ要素ピッチの４０〜７０％となる構成のものを挙げることができる（例えば、図２を参照）。
【００３６】
本発明のディスプレイ装置においては、スクリーンの反射率とピークゲインをそれぞれの外光環境に応じて規定することにより、その外光環境下において、コントラストに優れ視認性に優れた画像を投影することができる。
【００３７】
スクリーンは、両面テープ等の透明または半透明の貼着材でウインドウ１２の室内面１３に貼着されたり、透明樹脂等で形成された枠または桟に装着され、その枠または桟が両面テープ等の透明または半透明な貼着材でウインドウ１２の室内面１３または室外面、好ましくは室内面３に貼着されることが好ましい。このように装着されたスクリーン１は、スクリーンの外周部に画像の表示できない部分がないので、視認性を向上させることができる。スクリーンの厚さは３ｍｍ以下であることが好ましい。３ｍｍ以下が好ましいのは、スクリーンを軽量にすることができ、固定せずにウインドウ１２に貼着または吊り下げるのに便利だからである。特に４０インチ以上のスクリーンにおいて好ましい。なお、スクリーンの厚さの下限値は、約０．５ｍｍ程度である。
【００３８】
本発明の特徴を満たし、本発明の所期の目的を達成することができる限りにおいて、本発明のスクリーンには、従来公知の他の構成を付加してもよい。
【００３９】
（プロジェクター）
プロジェクターとしては、光出力が１０００〜３０００ＡＮＳＩルーメンのものが好ましく用いられる。本発明において、プロジェクターは外光の当たるウインドウに装着されたスクリーンに映像光を投射するものなので、視認性の高い映像を表示するためには、上記範囲の光出力のプロジェクター、特にライトバルブ方式のプロジェクターが好ましく用いられる。光出力が１０００ＡＮＳＩルーメン未満では、映像光が投射されたスクリーン画面が暗すぎて実用的でなく、また、光出力が３０００ＡＮＳＩルーメンを超えると、プロジェクターが大きくなりすぎたり、２００ボルトの電源が必要になったりするので、実用性の点でやや劣ることになる。また、当然のことながら、光出力が大きいものは電力の消費も多いので、ランニングコスト・省エネルギーの観点からも、上記範囲の光出力のプロジェクターが好ましくい。
【００４０】
【実施例】
以下、本発明のディスプレイ装置について具体的な実施例に基づき説明する。
【００４１】
（実施例１）
プロジェクターとして、光出力が２０００ＡＮＳＩルーメンのものを用い、室内の上方に装着した。
【００４２】
スクリーン１は、画面サイズ５０インチ（アスペクト比４：３、縦７６２ｍｍ×横１０６２ｍｍ）のものであり、スクリーン１の中央部からプロジェクター２（光源）までの距離が２０００ｍｍ、スクリーン１の中央部の法線に対する映像光３の入射角１４°となるように、スクリーン１をウインドウ１２の室内面１３に装着した。このスクリーン１（３１）は、フレネルレンズシート５とレンチキュラーレンズシート７で構成され、フレネルレンズシート５は、焦点距離が２０００ｍｍ、フレネル中心がフレネルレンズシート５の上側長編端部より１１９ｍｍ上になるようにフレネルレンズ要素４が形成されたものであり、厚さが１．５ｍｍ、フレネルレンズ要素４のピッチが０．１１ｍｍとなっている。レンチキュラーレンズシート７は、レンチキュラーレンズ要素６のピッチが０．１４ｍｍ、水平半値幅２５°、垂直半値幅９°、ピークゲインが４、光吸収部８である着色層の厚み３０μｍ、光吸収部の吸収率３０％、厚さ１ｍｍとした。このときの反射率は６．８％であった。
【００４３】
フレネルレンズシート５とレンチキュラーレンズシート７は、両面テープで外周部が貼り合わされ、ウインドウ１２の室内面１３に装着された。
【００４４】
こうして構成された実施例１のディスプレイ装置に画像が投影され、その画像のコントラストを室外から観察した。スクリーン１に対して水平な位置から観察した結果、１５００ルクスの明るさの太陽光の下でもはっきりと画像を見ることができた。
【００４５】
（実施例２）
プロジェクターとして、光出力が３０００ＡＮＳＩルーメンのものを用い、室内の上方に装着した。
【００４６】
スクリーン１は、画面サイズ４０インチ（アスペクト比４：３、縦６１０ｍｍ×横８１３ｍｍ）のものであり、スクリーン１の中央部からプロジェクター２（光源）までの距離が１５００ｍｍ、スクリーン１の中央部の法線に対する映像光３の入射角２０°となるようにスクリーン１をウインドウ１２の室内面１３に装着した。このスクリーン１（３１）は、フレネルレンズシート５とレンチキュラーレンズシート７で構成され、フレネルレンズシート５は、焦点距離が１５００ｍｍ、フレネル中心がフレネルレンズシート５の上側長辺端部位置になるようにフレネルレンズ要素４が形成されたものであり、厚さが１ｍｍ、フレネルレンズ要素４のピッチが０．０６８ｍｍとなっている。レンチキュラーレンズシート７は、レンチキュラーレンズ要素６のピッチが０．０８７ｍｍ、水平半値幅３０°、垂直半値幅１２°、ピークゲインが２．５、光吸収部８である着色層の厚み２０μｍ、光吸収部８の吸収率４５％、厚さ１ｍｍとした。このときの反射率５．５％であった。
【００４７】
フレネルレンズシート５とレンチキュラーレンズシート７は、幅５ｍｍの透明な桟に装着され、両面テープでウインドウ１２の室内面１３に装着した。
【００４８】
こうして構成された実施例２のディスプレイ装置に画像が投影され、その画像のコントラストを室外から観察した。スクリーン１に対して５°上向きに見上げるように観察した結果、３０００ルクスの明るさの太陽光の下でもはっきりと画像を見ることができた。
【００４９】
（実施例３）
プロジェクターとして、光出力が１０００ＡＮＳＩルーメンのものを用い、室内の上方に装着した。
【００５０】
スクリーン１は、画面サイズ５０インチ（アスペクト比４：３、縦７６２ｍｍ×横１０６２ｍｍ）のものであり、スクリーン１の中央部からプロジェクター２（光源）までの距離が２０００ｍｍ、スクリーン１の中央部の法線に対する映像光３の入射角１４°となるように、スクリーン１を室内に設置したガラス面に装着した。このスクリーン１（２１）は、フレネルレンズ要素４とレンチキュラーレンズ要素６で構成された一体型のスクリーンであり、フレネルレンズ要素４は、焦点距離が２００ｍｍ、フレネル中心がスクリーン２１の上側長辺端部より１１９ｍｍ上になるようにフレネルレンズ要素４が形成されたものであり、フレネルレンズ要素４のピッチが０．１１ｍｍとなっている。このスクリーンは、レンチキュラーレンズ要素６のピッチが０．１４ｍｍ、水平半値角２５°、垂直半値角９°、ピークゲイン５、光吸収部の幅はピッチの６０％で０．０８４ｍｍであり、スクリーン２１の厚みは１ｍｍである。このときの反射率は９％であった。
【００５１】
このスクリーン２１を室内に設置したガラス面に周辺部を両面テープで貼り合わせ装着した。
【００５２】
こうして構成された実施例３のディスプレイ装置に画像が投影され、その画像を室内で観察した。スクリーン１に対し水平な位置から観察した結果、１０００ルクスの室内ではっきりと画像を見ることができた。
【００５３】
（比較例１）
スクリーン１を厚み５ｍｍの拡散シートにした以外は、実施例１と同じにして、比較例１のディスプレイ装置を構成した。この拡散シートは、透明なアクリル板の中に屈折率の異なる微小（平均粒径１２ミクロン）なビーズを分散させたものである。このスクリーンは、ピークゲインが１、反射率が２０％、水平半値角が２５度、垂直半値角が２５度である。
【００５４】
こうして構成された比較例１のディスプレイ装置に画像が投影され、その画像のコントラストを室外から観察した。スクリーン１に対して水平な位置から観察した結果、１５００ルクスの明るさの太陽光の下で、画面のコントラストがなく、ほとんど画像を視認することができなかった。
【００５５】
（比較例２）
スクリーン１を厚み３ｍｍの拡散シートにした以外は、実施例２と同じにして、比較例２のディスプレイ装置を構成した。拡散シートは、厚さ以外は比較例１のものと同じである。このスクリーンは、ピークゲインが１．５、反射率が１８％、水平半値角が２０度、垂直半値角が２０度である。
【００５６】
こうして構成された比較例２のディスプレイ装置に画像が投影され、その画像のコントラストを室外から観察した。スクリーン１に対して５°上向きに見上げるように観察した結果、３０００ルクスの明るさの太陽光の下で、画像のコントラストがなく、ほとんど画像を視認することができなかった。
【００５７】
（比較例３）
スクリーン１を厚み３ｍｍの拡散シートにした以外は、実施例３と同じにして、比較例３のディスプレイ装置を構成した。拡散シートは、厚さ以外は比較例１のものと同じである。このスクリーンは、ピークゲインが１．５、反射率が１８％、水平半値角が２０度、垂直半値角が２０度である。
【００５８】
こうして構成された比較例３のディスプレイ装置に画像が投影され、その画像のコントラストを室外から観察した。スクリーン１に対して水平な位置から観察した結果、１０００ルクスの明るさの室内で、画像のコントラストが悪いため、白茶けた映像がわずかに視認できる程度の状態であった。
【００５９】
【発明の効果】
以上説明したように、本発明のディスプレイ装置によれば、スクリーンの一部に外光の反射を抑制する光吸収部を有するので、外光の反射を抑制することでき、画像のコントラストを向上させることができる。その結果、太陽光等の外光が当たる環境でも視認性の良い画像を提供することができる。さらに、スクリーンは、観察者方向に映像光を偏向させるフレネルレンズ要素と水平方向に映像光を拡散させるレンチキュラーレンズ要素とを有するので、店舗やショールームの外にいる観察者は、スクリーンに投影されたコントラストのよい画像を容易に観察することができる。
【００６０】
また、本発明のディスプレイ装置によれば、観察者側からスクリーンに入射した外光は、着色層の中を全反射を繰り返しながら進む途中で減衰するので、外光のほとんどが反射せずに吸収される。その結果、コントラストがより向上し、スクリーン上に映し出された画像の視認性を向上させることができる。
【００６１】
また、本発明のディスプレイ装置によれば、反射率とピークゲインを特定の範囲内に規定したので、反射光の影響を少なくでき、スクリーン上に映し出された画像の視認性を向上させることができる。
【００６２】
また、本発明のディスプレイ装置によれば、スクリーンの反射率とピークゲインをそれぞれの外光環境に応じて規定したので、その外光環境下において、コントラストに優れ視認性に優れた画像を投影することができる。
【００６３】
また、本発明のディスプレイ装置によれば、スクリーンが薄いので、ウインドウの室内面への貼着等が容易となる。
【図面の簡単な説明】
【図１】本発明のディスプレイ装置の一例を示す概略構成図である。
【図２】本発明のディスプレイ装置を構成するスクリーンの一例を示す構成図である。
【図３】本発明のディスプレイ装置を構成するスクリーンの他の一例を示す構成図である。
【図４】図３のスクリーンにおける光吸収メカニズムの原理図である。
【符号の説明】
１、２１、３１  スクリーン
２  プロジェクター
３  映像光
４  フレネルレンズ要素
５  フレネルレンズシート
６  レンチキュラーレンズ要素
７  レンチキュラーレンズシート
８  光吸収部
１１  外光
１２  ウインドウ
１３  室内面
１４  観察者
【図１】
2004184483.tif 000003
【図２】
2004184483.tif 000004
【図３】
2004184483.tif 000005
【図４】
2004184483.tif 000006